(57)【特許請求の範囲】
【請求項１】
棚装置の支柱と横桟とを連結する連結装置であって、前記支柱と横桟との対向面の一方に突設した係合爪を、他方に穿設した係合孔に係合させて、前記支柱と前記横桟とを互いに結合し、この結合状態で整合するようにして、前記支柱と横桟とに穿設されたピン挿入孔に有頭連結ピンを挿入し、該有頭連結ピンの頭部を覆うカバーを、前記横桟の前面に装着したことを特徴とする棚装置における支柱と横桟との連結装置。
【請求項２】
有頭連結ピンを、鉤状に屈曲した請求項１記載の棚装置における支柱と横桟との連結装置。
【請求項３】
ピン挿入孔が、有頭連結ピンが貫通するピン挿入部と、該ピン挿入部より直径方向に延出し、遊端部に、カバーの後面に突設した１対の係止爪が係合するようにした爪係合部とを備えている請求項１または２記載の棚装置における支柱と横桟との連結装置。
【請求項４】
支柱に穿設した係合孔を、方形孔の下端中央に下向きの狭幅の長孔を連設し、長孔の上端両側部に肩部を形成した羽子板形状とし、かつ横桟に設けた係合爪を、上端が横桟に結合され、後方に向かって切り起された下向き係合片の下端中央に、下端が横桟と一体となった狭幅の連結片の上端を連設することにより、下向き係合片の下端両側部に肩部を有するものとし、係合孔の肩部の背後に、係合爪の肩部を入り込ませて、係合爪の肩部と横桟の後面とにより、係合孔の肩部を挟むようにして、係合爪を係合孔に係合させた請求項１〜３のいずれかに記載の棚装置における支柱と横桟との連結装置。
【請求項５】
係合爪における下向き係合片を、横桟から後下向き傾斜する傾斜片の下端に連設した請求項４記載の棚装置における支柱と横桟との連結装置。
【発明の詳細な説明】
【０００１】
【発明の属する技術分野】
本発明は、棚装置の支柱と横桟とを連結する連結装置に関する。
【０００２】
【従来の技術】
従来、この種の連結装置には、支柱と横桟とのいずれか一方に穿設した係合孔に、他方に設けた係合爪を係止させるもの、及び支柱と横桟とをボルト締めするもの等がある。
【０００３】
【発明が解決しようとする課題】
しかし、係合爪を係合孔に係止させるものは、脱落のおそれやがたつきが生じるおそれがあり、またボルト締めするものは、そのボルト締め作業が煩雑であるとともに、ボルトの頭部が外部に露呈し、棚の美観を損う等の問題がある。
【０００４】
本発明は、上記の問題点に鑑み、脱落することなく、簡単な作業で強固に連結することができ、しかも美感を損なわないようにした棚装置における支柱と横桟との連結装置を提供することを目的としている。
【０００５】
【課題を解決するための手段】
本発明によると、上記課題は、次のようにして解決される。
（１）  棚装置の支柱と横桟とを連結する連結装置であって、前記支柱と横桟との対向面の一方に突設した係合爪を、他方に穿設した係合孔に係合させて、前記支柱と前記横桟とを互いに結合し、この結合状態で整合するようにして、前記支柱と横桟とに穿設されたピン挿入孔に有頭連結ピンを挿入し、該有頭連結ピンの頭部を覆うカバーを、前記横桟の前面に装着する。
【０００６】
（２）  上記（１）項において、有頭連結ピンを、鉤状に屈曲する。
【０００７】
（３）  上記（１）または（２）項において、ピン挿入孔が、有頭連結ピンが貫通するピン挿入部と、該ピン挿入部より直径方向に延出し、遊端部に、カバーの後面に突設した１対の係止爪が係合するようにした爪係合部とを備えるものとする。
【０００８】
（４）  上記（１）〜（３）項のいずれかにおいて、支柱に穿設した係合孔を、方形孔の下端中央に下向きの狭幅の長孔を連設し、長孔の上端両側部に肩部を形成した羽子板形状とし、かつ横桟に設けた係合爪を、上端が横桟に結合され、後方に向かって切り起された下向き係合片の下端中央に、下端が横桟と一体となった狭幅の連結片の上端を連設することにより、下向き係合片の下端両側部に肩部を有するものとし、係合孔の肩部の背後に、係合爪の肩部を入り込ませて、係合爪の肩部と横桟の後面とにより、係合孔の肩部を挟むようにして、係合爪を係合孔に係合させる。
【０００９】
（５）  上記（４）項において、係合爪における下向き係合片を、横桟から後下向き傾斜する傾斜片の下端に連設する。
【００１０】
【発明の実施の形態】
以下、本発明の実施の形態を、図１〜図６に基づいて説明する。
図１、図２に示す棚装置（１）は、重量物保管用の棚装置であり、図１に示すように、左右１対の支柱（２）（３）、（４）（５）を上下１対の横桟（６）（７）で連結し、前後１対の支柱（２）（４）、（３）（５）を上下方向に配列された複数の脇桟（８）で連結して、骨組みが形成されている。また、左右１対の支柱（２）（３）、（４）（５）の中間部分には、棚板（図示省略）を支持する複数の棚桟（９）が着脱可能に設けられている。
【００１１】
本発明の連結装置（１０）は、主として、左右１対の支柱（２）（３）、（４）（５）と横桟（６）（７）とを連結する装置であるが、前後１対の支柱（２）（４）、（３）（５）と脇桟（８）とを連結することもできる。
また、以下の説明においては、主として、前方左側の支柱（２）と上方の横桟（６）とを連結する連結装置（１０）について説明するが、他の支柱と他の横桟とを連結する連結装置（１０）も同様の構成である。
【００１２】
図３及び図４に示すように、横桟（６）の端部と対向する支柱（２）の前面板（１１）上部には、方形孔（１２ａ）の下端中央に下向きの狭幅の長孔（１２ｂ）を連設した正面視羽子板形状の係合孔（１２）が上下に１対穿設され、各係合孔（１２）の方形孔（１２ａ）と長孔（１２ｂ）との連設部の両側には、肩部（１３）（１３）が形成されている。
図３に示すように、１対の係合孔（１２）の中間位置には、ピン挿入孔（１４）が穿設されている。ピン挿入孔（１４）は、有頭連結ピン（１５）が貫通する円形のピン挿入部（１６）と、このピン挿入部（１６）より上下に延出する狭幅の長孔孔の爪係合部（１７）とからなっている。爪係合部（１７）は、その上下の端部に、後述するカバー（１８）の上下１対の係止爪（１９）を係合させるためのものである。
【００１３】
図３に示すように、横桟（６）の端部には、横桟（６）の上下幅より大寸の取付け片（２０）が形成されている。取付け片（２０）は、支柱（２）の上部と対向する部分である。取付け片（２０）には、支柱（２）の係合孔（１２）に係合する係合爪（２１）が上下に１対、支柱側に突き出されて形成されている。
【００１４】
図４に示すように、係合爪（２１）は、取付け片（２０）の後面（２０ａ）より支柱（２）側に向かって切り起こされて後下向き傾斜する傾斜片（２１ａ）と、その下端から垂下する下向き係合片（２１ｂ）と、その下向き係合片（２１ｂ）の下端中央から前下方に向かって延出し、下端が取付け片（２０）と一体となった狭幅の正面から見た場合、中間部から上方の幅より、下方の幅の方が狭く形成され、連結片（２１ｃ）とからなっており、下向き係合片（２１ｂ）と連結片（２１ｃ）との連設部の両側部に、肩部（２２）が形成されている。傾斜片（２１ａ）と下向き係合片（２１ｂ）の幅は、係合孔（１２）の方形（１２ａ）の幅と同一かわずかに小としてあり、また連結片（２１ｃ）の幅は、同じく長孔（２１ｂ）の幅と同一かわずかに小としてある。
【００１５】
図３に示すように、１対の係合爪（２１）の中間位置には、支柱（２）のピン挿入孔（１４）とほぼ同一かまた若干大寸の相似形としたピン挿入孔（２３）が穿設されている。このピン挿入孔（２３）にも、ピン挿入部（２４）と、爪係合部（２５）とが形成されている。
【００１６】
有頭連結ピン（１５）は、ピン挿入孔（１４）（２３）に挿入された際、脱落しにくいように、鉤状に屈曲している。
【００１７】
図５に示すように、カバー（１８）は、合成樹脂成形品であり、裏側に浅い円弧状の凹部（２６）が形成されている。凹部（２６）のほぼ中央部には、先端部（１９ａ）が上下外向きにＵ字状に折曲されて、ピン挿入孔（２４）（１４）の爪係合部（２５）（１７）の遊端に係合するようにした上下１対の係止爪（１９）が突設されている。
また、カバー（１８）は側部には、係止爪（１９）を爪係合部（１７）（２５）に挿入するとき、係止爪（１９）を見易くするためと、カバー（１８）の引き剥しを容易にするための切欠（２７）が形成されている。
【００１８】
支柱（２）に横桟（６）を取付けるには、係合爪（２１）を係合孔（１２）に手前側上方から落とし込むようにして挿入して、図６に示すように、係合孔（１２）の肩部（１３）の背後に係合爪（２１）の肩部（２２）を入り込ませ、かつ連結片（２１ｃ）を長孔（１２ｂ）に嵌合させる。
これによって、肩部（２２）と、取付け片（２０）の後面（２０ａ）とにより、肩部（１３）を前後から挟む状態になるので、横桟（６）が支柱（２）から前方へ外れることがない。しかし、横桟（６）は、上方へ外れる恐れがある。
【００１９】
そこで、横桟（６）と支柱（２）のピン挿入孔（１４）（２３）に有頭連結ピン（１５）を挿入して、横桟（６）の上方への外れを防止する。有頭連結ピン（１５）は、鍔状頭部（２８）がピン挿入部（２４）に係止し、支柱（２）内への落下が防止される。また、有頭連結ピン（１５）は、「く」の字状に屈曲しているため、ピン挿入孔（１４）（２３）から外部に抜け出るようなことがない。
【００２０】
最後に、ピン挿入孔（１４）（２３）の爪係合部（１７）（２５）にカバー（１８）の係止爪（１９）を挿入すると、係止爪（１９）の先端部（１９ａ）が支柱（２）の爪係合部（１７）に係合して、カバー（１８）は支柱（２）と横桟（６）とに装着される。
カバー（１８）は、係合爪（２１）、有頭連結ピン（１５）等が外部から見えないように覆って、棚装置（１）の美感を高める。
【００２１】
なお、支柱に係合爪を突設し、横桟に係合孔を穿設してもよい。
この場合の、係合爪と係合孔は、上述の係合爪及び係合孔と形状が天地逆になる。
【００２２】
【発明の効果】
請求項１の発明によると、係合爪と係合孔との係合によって、横桟が支柱の前方に脱落しないように、また、有頭連結ピンによって横桟が支柱から上方へ抜けないようにしているので、横桟は、支柱に簡単、確実、かつ強固に連結することができる。
カバーが、係合爪、有頭連結ピン等を外部から見えないように覆っているため、棚装置の美感を高めることができるとともに、突出部品を覆って安全性を向上させることができる。また、有頭連結ピンの抜けを防止することができる。
【００２３】
請求項２のように、有頭連結ピンを「く」の字状に屈曲すると、支柱と横桟から抜けにくくなり、有頭連結ピンの脱落を防止することができる。
【００２４】
請求項３のように、ピン挿入孔の一部に、カバーの係止爪を係止させる爪係合部を設けると、カバーの支持のための係止孔等を横桟等に特別に設ける必要がなく、構造を簡素化できるとともに、カバーにより、有頭連結ピンを抜け止めすることができる。
【００２５】
請求項４のような構成とすると、係合爪における下向き係合片の下端が連結片により横桟に連結され、係合爪の上下の端部が横桟と一体となっているので、肩部の剥離強度が大きく、従来の単なる下向きＬ字形の切り起し片のみにより形成したもののように、係合爪の下端が開く方向に剥れやすいといった欠点を解消すことができる。
【００２６】
請求項５のような構成とすると、傾斜片が係合孔の肩部に係合することにより、その肩部を横桟側に引き寄せる作用をもたらすことができ、支柱と横桟を強固に、かつ確実に連結することができる。
【図面の簡単な説明】
【図１】本発明の一実施形態の連結装置を備えた棚装置の概略斜視図である。
【図２】図１の棚装置の上部の拡大斜視図である。
【図３】同じく、要部の分解斜視図である。
【図４】係合爪と、係合孔との分解斜視図である。
【図５】カバーの斜視図である。
【図６】連結部分の拡大縦断側面図である。
【符号の説明】
（１）棚装置
（２）支柱
（３）支柱
（４）支柱
（５）支柱
（６）横桟
（７）横桟
（８）脇桟
（９）棚桟
（１０）連結装置
（１１）前面板
（１２）係合孔
（１２ａ）方形孔
（１２ｂ）長孔
（１３）肩部
（１４）ピン挿入孔
（１５）有頭連結ピン
（１６）ピン挿入部
（１７）爪係合部
（１８）カバー
（１９）係止爪
（１９ａ）先端部
（２０）取付け片
（２０ａ）後面
（２１）係合爪
（２１ａ）傾斜片
（２１ｂ）下向き係合片
（２１ｃ）連結片
（２２）肩部
（２３）ピン挿入孔
（２４）ピン挿入部
（２５）爪係合部
（２６）凹部
（２７）切欠
（２８）鍔状頭部
【図１】
0003579860.tif 000002
【図２】
0003579860.tif 000003
【図３】
0003579860.tif 000004
【図４】
0003579860.tif 000005
【図５】
0003579860.tif 000006
【図６】
0003579860.tif 000007